(57)【特許請求の範囲】
【請求項１】
脚によって支持された支基の上方に設けた座受フレームの左右両側に、互いに平行をなし、かつ、上方に開口する溝を形成する前後方向に延びるレールを設け、前記座受フレームの上に載置される座シェルの下面左右両側に、前記レールの溝に前後方向に摺動可能に嵌合する下向き突条を設けるとともに、該下向き突条の後端部に、レールにより弾性的に内側に屈従させられることにより、前記レールの溝内に前方から進入して移動可能で、かつ前記レールの溝の後端より後方に突出することにより、前記下向き突条より前記溝の左右の外方に突出し、前記レールの後端両側部と前面側が対向する左右に離間して互いの方向に弾性変形可能な左右１対の突片からなる抜け止め部材を一体的に設けたことを特徴とする椅子の座の支持構造。
【請求項２】
下向き突条から外方に突出する両突片の外側角部を、後方に向かって漸次下向き突条の外形に近ずくように収束させた請求項１記載の椅子の座の構造。
【発明の詳細な説明】
【０００１】
【発明の属する技術分野】
本発明は、椅子における座の支持構造、特に、座受フレームのレールに沿って座シェルを前後方向に摺動可能とし、かつ、この座シェルが座受フレームのレールから前方に抜けることを防止するようにした椅子の座の構造に関する。
【０００２】
【従来の技術】
回転椅子等において、座を、支基上に固定された金属製の座受フレームと、この座フレームの両側部で支持された合成樹脂製の座シェルと、その上に設けた座クッション体とにより構成したものがある。このものは、座シェルが一体成形できるので、量産に向いており、経済性に優れているので広く用いられている。
【０００３】
【発明が解決しようとする課題】
このような構造において、座シェルを座受フレームに対して前後方向に摺動可能とすると、着座者個人個人の座り心地に適応させられるので好適であるが、座シェルが座受フレームから脱落しないように、抜け止め手段を設けなければならない。
従来、このような抜け止めは、座シェルを座受フレームに嵌合させた後、別部品の停止部材をねじ等で取り付けてなされている。これは、部品点数を多くするばかりか、組立の工数を徒に増す結果となっている。
【０００４】
本発明は、上述の問題点に鑑み、座シェルが、座受フレームのレールから抜け落ちないようにする抜け止め部材を、構造簡単に座シェルに形成し、かつその抜け止めの作用が座シェルの装着に伴って自動的に果たされるようにした椅子の座の構造を提供することを目的としている。
【０００５】
【課題を解決するための手段】
本発明によると、上記課題は、次のようにして解決される。
（１）  脚によって支持された支基の上方に設けた座受フレームの左右両側に、互いに平行をなし、かつ、上方に開口する溝を形成する前後方向に延びるレールを設け、前記座受フレームの上に載置される座シェルの下面左右両側に、前記レールの溝に前後方向に摺動可能に嵌合する下向き突条を設けるとともに、該下向き突条の後端部に、レールにより弾性的に内側に屈従させられることにより、前記レールの溝内に前方から進入して移動可能で、かつ前記レールの溝の後端より後方に突出することにより、前記下向き突条より前記溝の左右の外方に突出し、前記レールの後端両側部と前面側が対向する左右に離間して互いの方向に弾性変形可能な左右１対の突片からなる抜け止め部材を一体的に設ける。
【０００６】
（２）  上記(１)項において、下向き突条から外方に突出する両突片の外側角部を、後方に向かって漸次下向き突条の外形に近ずくように収束させる。
【０００７】
【発明の実施の形態】
図１は、本発明の一実施形態を備えるキャスター付き回転椅子を分解して、その要部を示す分解斜視図で、キャスター付きの脚(１)の上面中央に、支基(２)が回転自在に装架されている。支基(２)の後部には、背フレーム(３)が後傾可能として枢支され、その前面には背シェル(４)と背クッション体(５)が、また背面には背アウターパネル(６)が取り付けられている。
【０００８】
また、支基(２)の上には、座受フレーム(７)が取り付けられ、座受フレーム(７)の上には、座シェル(８)が装架され、さらに座クッション(９)が取り付けられている。
【０００９】
本発明は、この座受フレーム(７)と座シェル(８)とからなる座の支持構造に関するものである。
【００１０】
図２は、座受フレーム(７)を拡大して上方から見た斜視図、図３は、座シェル(８)を拡大して下方から見た斜視図、さらに、図４は、座受フレーム(７)と座シェル(８)とを組み付けた状態での右側部の拡大縦断正面図である。
【００１１】
図１及び図２に示すように、座受フレーム(７)は、中央部を弓状に窪ませた左右方向に延びる２本の鋼管(10)を、前後方向に間を離して平行に配置し、これらの鋼管(10)の中間部分に、前後方向を向く２本の断面Ｕ字形の鋼製の連結部材(11)の両端部を溶接して形成されている。
【００１２】
鋼管(10)の左右両端には、断面ほぼＶ字形の溝(12a)を形成する前後方向に延びる鋼製のレール(12)が溶接されている。これらのレール(12)の、上方に開いた上端の外側縁からは、外側方を向く短いフランジ状の突片(13)が延設されている。また、レール(12)の上方に開いた上端の内側縁からは、突片(13)と同様の内向きフランジ状の突片(14)が延設されている。
【００１３】
さらに、Ｖ字形の溝(12a)の底面の前部には、複数個（図示の場合では４個）の間隔を隔てた小突起(15)が上方に向けて突設されている。
【００１４】
図３に示す座シェル(８)は、合成樹脂の一体成型品であって、その下面には、左右両側部において溝(12a)と対向する位置に前後方向に長く延びる下向き突条(16)が突設されている。
下向き突条(16)は、座受フレーム(７)のレール(12)に嵌合するもので、図４に示すように、レール(12)のＶ字形の溝(12a)の傾斜した左右両斜面(17)に少なくとも部分的に係合する２個の斜面部分(18)を有するほぼＶ字形断面のものである。
【００１５】
これらの下向き突条(16)の外側において、それと若干の間隔を隔てて下方に延びている左右両側縁部(19)の下端部からは、水平に内方に向けて張り出す複数個の支持片(20)が一体的に突設されている。これらの支持片(20)は、座シェル(８)を座受フレーム(７)に取り付けた際、座受フレーム(７)の突片(13)の下面と滑動的に係合して、座シェル(８)の上方への外れを防止するものである。
【００１６】
座シェル(８)における左右の下向き突条(16)の内側近傍には、これら下向き突条(16)と平行な前後方向の複数条のリブ(22)が形成されている。また、前後方向のリブ(22)に直交して左右方向のリブ(21)も形成されている。
これらのリブ(21)(22)は、着座者の臀部及び両膝部の荷重が加わる部分に集中的に分布している。
【００１７】
さらに、座シェル(８)の前部には、上述の下向き突条(16)を中断して２個の下方突起(23)が一体的に形成されている。下方突起(23)の下端は、下向き突条(16)の下端よりも下方に若干長く延びており、図２、図４及び図５に示す座受フレーム(７)の小突起(15)に係合可能となっている。
【００１８】
下方突起(23)の外側には、下方に延びるレバー(24)が一体的に形成されており、このレバー(24)と下方突起(23)とを囲むように、平面視内向きコ字状の切り込み(25)が形成されているので、このレバー(24)の操作により、切り込み(25)内の部分を外上方に弾性撓曲させて、下方突起(23)を上方に持ち上げることができる。
【００１９】
座シェル(８)の後部には、左右両側の下向き突条(16)の一部として抜け止め部材(26)が形成されている。図３及び図６に示すように、座シェル(８)の後部において、下向き突条(16)は、若干の長さ分だけ中断された形となり、この中断部分に、抜け止め部材(26)が形成されている。
抜け止め部材(26)は、左右方向に互いに間隔を隔てて対向する左右１対の突片(26a)(26b)からなり、これらの左右の突片(26a)(26b)の後端側の外面形状は、下向き突条(16)の断面形状と同一形状とされ、前端側の外面形状は、角部が下向き突条(16)の角部よりも出っ張るような形状とされている。すなわち、両突片(26a)(26b)の外側角部は、後方に向かって漸次下向き突条(16)の外形に近ずくように収束する傾斜面となっている。
【００２０】
両突片(26a)(26b)は、座シェル(８)の一体成型で形成されるものであるが、この際、両突片(26a)(26b)の前後の根元の部分には、切り込み(27)が形成されており、この切り込み(27)の存在のために、両突片(26a)(26b)は互いに内方に寄せ得る弾性が与えられている。
【００２１】
上述のような構成であるので、図２に示す座受フレーム(７)の前方（図面左下側）から、図３に示す座シェル(８)の後端（図面右側）を、レール(12)の溝(12a)に下向き突条(16)を整合させて前方より嵌め込むと、座シェル(８)の支持片(20)の上面がレール(12)の突片(13)の下面に係合し、かつ、断面Ｖ字形の溝(12a)の両斜面(17)に、２個の斜面部分(18)が部分的に係合する。
【００２２】
この状態で座シェル(８)を後方に移動させると、両突片(26a)(26b)の後端がレール(12)に乗り、レール(12)により漸次内側に寄せられる。このようにレール(12)が、両突片(26a)(26b)を弾性的に屈従させるので、下向き突条(16)は、レール(12)の奥深く進入し、最後に、図６に示すように、両突片(26a)(26b)の前端がレール(12)の後端を外れると、両突片(26a)(26b)は弾性的に当初の位置に戻る。この状態では、両突片(26a)(26b)における外側角部が、レール(12)より外方にはみ出すので、レール(12)を逆方向に移動させることができず、抜け止めとなる。
【００２３】
【発明の効果】
請求項１記載の発明によれば、座受フレームのレールに沿って座シェルを前後方向に摺動可能とし、かつ、この座シェルが座受フレームのレールから前方に抜けることを防止することができる。
【００２４】
また、抜け止めの機構を簡単な構造として、座シェルに一体的に形成することができる。
【００２５】
請求項２記載の発明によれば、抜け止めの作用が座シェルの装着に伴って自動的に果たされるようにすることができる。
【図面の簡単な説明】
【図１】  本発明の一実施形態を備えるキャスター付き回転椅子を分解してその要部を示す分解斜視図である。
【図２】  座受フレームを拡大して上方から見た斜視図である。
【図３】  座シェルを拡大して下方から見た斜視図である。
【図４】  座受フレームと座シェルとを組み付けた状態での右側部の拡大縦断正面図である。
【図５】  座受フレームと座シェルとの係合部の拡大縦断側面図である。
【図６】  座シェルを座受フレームに装架した状態における座シェルの片側の後端付近を後下方より見た拡大部分斜視図である。
【符号の説明】
(１)キャスター付き脚
(２)支基
(３)背フレーム
(４)背シェル
(５)背クッション体
(６)背アウターパネル
(７)座受フレーム
(８)座シェル
(９)座クッション体
(10)鋼管
(11)連結部材
(12)レール
(12a)溝
(13)(14)突片
(15)小突起
(16)下向き突条
(17)斜面
(18)斜面部分
(19)側縁部
(20)支持片
(21)(22)リブ
(23)下方突起
(24)レバー
(25)切り込み
(26)抜け止め部材
(26a)(26b)突片
(27)切り込み
【図１】
0003782713.tif 000002
【図２】
0003782713.tif 000003
【図３】
0003782713.tif 000004
【図４】
0003782713.tif 000005
【図５】
0003782713.tif 000006
【図６】
0003782713.tif 000007